【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
ドキュメントの印刷及び確認の方法であって、
前記ドキュメントを印刷する工程、
有効判定基準をテストするために、前記ドキュメントの少なくとも一部分を読み取る工程、及び
前記テストに応答して、前記有効判定基準が満たされた場合に、前記ドキュメントを受取者に分与し、前記有効判定基準が満たされなかった場合に、前記ドキュメントを取り消し、この取り消したドキュメントを前記受取者に分与するか又はこの取り消したドキュメントを保持する工程、
を含む方法。
【請求項２】
請求項１の方法であって、
前記の取り消したドキュメントが、前記受取者に分与され、
取替ドキュメントが、前記受取者のために、直ちに印刷される、
ところの方法。
【請求項３】
請求項２の方法であって、
前記取替ドキュメントに対して有効判定基準をテストするために、前記取替ドキュメントの少なくとも一部分を読み取る工程、及び
前記取替ドキュメントが有効判定基準を満たした場合に、前記取替ドキュメントを受取者に分与し、前記取替ドキュメントが有効判定基準を満たさなかった場合に、アラームを生成する工程、
を含む方法。
【請求項４】
請求項３の方法であって、
前記有効判定基準が満たされなかった場合に、前記取替ドキュメントを取り消す工程、及び
この取り消された取替ドキュメントを前記受取者に分与する工程、
を含む方法。
【請求項５】
請求項３又は４の方法であって、
前記の取り消しの前に、少なくとも一回、前記ドキュメント又は前記取替ドキュメントの少なくとも一つに対して前記の読み取り工程を繰り返す工程、
を含み、
前記の繰り返した読み取り工程によって、前記有効判定基準が満たされた場合に、前記の読み取り工程を繰り返した前記のドキュメントが、有効ドキュメントとして、前記受取者に分与される、
ところの方法。
【請求項６】
請求項１〜４のいずれか１の方法であって、
前記ドキュメントを取り消す前に、少なくとも一回、前記の読み取り工程を繰り返す工程、
を含み、
前記の繰り返した読み取り工程によって、前記有効判定基準が満たされた場合に、前記ドキュメントが、有効ドキュメントとして、前記受取者に分与される、
ところの方法。
【請求項７】
請求項６の方法であって、
所定の回数だけ繰り返した前記の読み取り工程の後に、前記有効判定基準が満たされなかった場合に、前記ドキュメントが取り消される、
ところの方法。
【請求項８】
請求項６又は７の方法であって、
前記有効判定基準をテストするために読み取られる前記ドキュメントの前記一部分が、双方向コードを含み、
前記の繰り返す工程中に、前記双方向コードの読み取りが、前記コードの最初の読み取りと反対の方向で行われる、
ところの方法。
【請求項９】
請求項１〜８のいずれか１の方法であって、
前記の取り消しが、前記ドキュメント上に取消の目印を印刷することによって行われ、これにより、前記ドキュメントが取り消される、
ところの方法。
【請求項１０】
請求項２の方法であって、
前記の取り消したドキュメントが分与される場合、前記受取者が、前記取替ドキュメントを待つように通知される、
ところの方法。
【請求項１１】
請求項１〜１０のいずれか１の方法であって、
前記ドキュメントが、賭事用のチケット又はバウチャである、
ところの方法。
【請求項１２】
請求項１の方法であって、
前記の取り消したドキュメントが、前記受取者に分与される、
ところの方法。
【請求項１３】
請求項１の方法であって、
前記の取り消したドキュメントが、分与されずに、保持される、
ところの方法。
【請求項１４】
ドキュメントの確認、分与及び取消機能を有するプリンターであって、
輸送機構、
前記輸送機構によって運ばれるサブストレート上に目印を印刷するための印刷モジュール、及び
有効判定基準をテストするために、前記目印の少なくとも一部分を読み取る読取モジュール、
を含み、
前記輸送機構が、
前記有効判定基準が満たされた場合に、前記の印刷したサブストレートを前記受取者に分与し、
前記有効判定基準が満たされなかった場合に、取り消されるべき前記の印刷したサブストレートを輸送する、
ところのプリンター。
【請求項１５】
請求項１４のプリンターであって、
前記輸送機構が、
前記の取り消したサブストレートを前記受取者に分与し、
前回の印刷したサブストレートが前記有効判定基準を満たさなかった場合に、印刷及び読み取りのための取替サブストレートを輸送する、
ところのプリンター。
【請求項１６】
請求項１４又は１５のプリンターであって、
前記輸送機構が、前記の印刷したサブストレートを、必要に応じて、前記印刷モジュールへ戻して取り消す、
ところのプリンター。
【請求項１７】
請求項１６のプリンターであって、
前記印刷モジュールが、前記サブストレートに取消の目印を印刷することによって、前記サブストレートを取り消す、
ところのプリンター。
【請求項１８】
請求項１６又は１７のプリンターであって、
前記輸送機構が、双方向輸送機構であり、前記サブストレートを、前記印刷モジュールに戻す方向に反転する、
ところのプリンター。
【請求項１９】
請求項１５のプリンターであって、
印刷した取替サブストレートが前記有効判定基準を満たさなかった場合に、アラームを与えるように適合されるアラームモジュールをさらに含む、プリンター。
【請求項２０】
請求項１５のプリンターであって、
前記の印刷した取替サブストレートが前記有効判定基準を満たさなかった場合に、前記輸送機構が、取り消されるべき前記の印刷した取替サブストレートを輸送し、この取り消した取替サブストレートを前記受取者に分与する、
ところのプリンター。
【請求項２１】
請求項２０のプリンターであって、
前記の取り消した取替サブストレートが分与されると、アラームが生成される、
ところのプリンター。
【請求項２２】
請求項２０又は２１のプリンターであって、
前記読取モジュールが、取り消しの前に、前記サブストレート又は前記取替サブストレートの少なくとも一つを再度読み取り、
前記有効判定基準がこの再度の読み取りで満たされた場合に、前記輸送機構が、この再度読み取られたサブストレートを有効サブストレートとして前記受取者に分与する、
ところのプリンター。
【請求項２３】
請求項２２のプリンターであって、
前記有効判定基準をテストするために読み取られる前記目印の部分が、双方向コードを含み、
前記の再度の読み取りが、前記目印の最初の読み取りのために使用された方向と反対の方向で、前記読取モジュールによって行われる、
ところのプリンター。
【請求項２４】
請求項１５のプリンターであって、
前記の印刷した取替サブストレートが、前記有効判定基準を満たした場合に、前記受取者に分与される、
ところのプリンター。
【請求項２５】
請求項１５のプリンターであって、
前記の取り消したサブストレートが分与される場合に、前記取替サブストレートを待つように、前記受取者に通知を与えるための通知モジュールをさらに含む、プリンター。
【請求項２６】
請求項２５のプリンターであって、
前記通知モジュールが、前記通知を前記の取り消したサブストレート上に印刷する、
ところのプリンター。
【請求項２７】
請求項２５のプリンターであって、
前記通知モジュールが、前記通知を表示装置上に与える、
ところのプリンター。
【請求項２８】
請求項１４〜２７のいずれか１のプリンターであって、
前記印刷モジュールが、感熱プリントヘッドを含み、
前記サブストレートが、感熱印刷ペーパーを含む、
ところのプリンター。
【請求項２９】
請求項１４〜２８のいずれか１のプリンターであって、
前記の印刷したサブストレートが、賭事用のチケット又はバウチャを含む、
ところのプリンター。
【請求項３０】
請求項１４〜２９のいずれか１のプリンターであって、
前記読取モジュールが、バーコード読取装置を含む、
ところのプリンター。
【請求項３１】
請求項１４のプリンターであって、
前記輸送機構が、前記の取り消したサブストレートを前記受取者に分与する、
ところのプリンター。
【請求項３２】
請求項１４のプリンターであって、
前記輸送機構が、前記の取り消したサブストレートを、分与せずに、保持する、
ところのプリンター。
【請求項３３】
請求項１４〜２２、２４〜３２のいずれか１のプリンターであって、
前記読取モジュールが、取り消しの前に、前記サブストレートを再度読み取り、
前記の再度の読み取りで、前記有効判定基準が満たされた場合に、前記輸送機構が、前記の再度読み取ったサブストレートを確認サブストレートとして前記受取者に分与する、
ところのプリンター。
【請求項３４】
請求項３３のプリンターであって、
前記有効判定基準をテストするために読み取られる前記目印の部分が、双方向コードを含み、
前記の再度の読み取りが、前記目印の最初の読み取りのために使用された方向と反対の方向で前記読取モジュールによって行われる、
ところのプリンター。
【請求項３５】
請求項１４〜３４のいずれか１のプリンターであって、
前記印刷、読取及び輸送機能を制御するために接続される制御装置をさらに含む、プリンター。
【請求項３６】
請求項３５のプリンターであって、
前記制御装置が、前記輸送機構に、前記の取り消したサブストレートを前記受取者に分与させる、
ところのプリンター。
【請求項３７】
請求項３５のプリンターであって、
前記制御装置が、前記輸送機構に、前記の取り消したサブストレートを分与させずに保持させる、
ところのプリンター。
【請求項３８】
請求項３５〜３７のいずれか１のプリンターであって、
前記制御装置が、前記有効判定基準のテストの結果をリモートプロセッサに送り、
前記制御装置が、前記結果に基づいて、前記リモートプロセッサから受信した次の指示に応答して、前記印刷モジュール、前記読取モジュール及び前記輸送機構のうちの少なくとも一つを作動する、
ところのプリンター。
【請求項３９】
ドキュメントの印刷及び確認の方法であって、
前記ドキュメントを印刷する工程、
有効判定基準をテストするために、前記ドキュメントの少なくとも一部分を読み取る工程、及び
前記テストに応答して、前記有効判定基準を満たした場合に、前記ドキュメントを受取者に分与し、前記有効判定基準を満たさなかった場合に、前記ドキュメントを取り消す工程、
を含む方法。